(57)【要約】【課題】用紙に担持させた情報が消失したり書き換わってしまうことがなく、担持している情報の的確な読込みを可能とする。【解決手段】例えば、用紙１２を縦横に等分割した６つのブロック１４を設定して、情報を担持させるときには、各ブロックに磁性線材１６を漉きこむか否かによって行う。このとき、磁性線材を漉き込んだブロックによって形成される図形が、用紙を回転したとき、鏡像及び回転した図形の用紙の鏡像で同一となるときには、用紙に担持する情報が同じとするように、磁性線材を漉きこむブロックを設定する。これにより、用紙に担持されている情報を読み込むときに、用紙の向きや裏表にかかわらず、該当情報を的確に読み出すことができる。【選択図】図２
2006293988.tif 000002
【特許請求の範囲】
【請求項１】
シート体の表面を、予め設定している位置で等分割することにより連続する複数のブロックを設定し、前記ブロックごとの情報の有無によって、前記シート体の全域で所定の情報となるように保持することを特徴とする情報保持方法。
【請求項２】
前記ブロック内での前記情報の有無が、交番磁界が与えられることによりパルス状の応答信号を発する磁性材料の有無であることを特徴とする請求項１に記載の情報保持方法。
【請求項３】
前記シート体が所定の領域に、線状の前記磁性材料が漉き込まれている記録用紙であることを特徴とする請求項２に記載の情報保持方法。
【請求項４】
情報を有するブロックによって前記シート体上に形成される図形の形状が該シート体に担持される情報に応じた図形であることを特徴とする請求項１から請求項３の何れか１項に記載の情報保持方法。
【請求項５】
前記シート体の中心点を軸として回転したときに、前記図形が重なり合う図形を、同一の情報であるとしていることを特徴とする請求項４に記載の情報保持方法。
【請求項６】
前記シート体が矩形形状に形成されているときに、一辺に沿った鏡面に対する鏡像を、同一の情報であるとしていることを特徴とする請求項４又は請求項５に記載の情報保持方法。
【発明の詳細な説明】
【技術分野】
【０００１】
本発明は、記録用紙などのシート体に所定の情報を保持する情報保持方法に関する。
【背景技術】
【０００２】
近年、複写機やプリンタの性能向上、パーソナルコンピュータなどの処理性能の向上に伴って、原稿に記録されている画像を高精細で複写可能となっている。これにより、原稿と複写物の見分けがつかないほどの高品質の画像形成が可能となっている。
【０００３】
一方、原稿と複写物との判別が困難となる画像複写が可能となることにより、紙幣や有価証券のみならず、旅券、各種の権利証書、各種の照明書等の各種の文書が複製される可能性が高まっており、各種の文書が原本であるか否かの真偽を高精度で判定可能とする技術の確立が望まれている。
【０００４】
ここから、文書などに用いる記録用紙自体に情報を担持させる方法が考えられる。紙を漉くときに植物繊維が作り出すランダムなパターン画像を用い、原本のパターン画像の特徴量を抽出して記憶しておき、比較対象の該当特徴量と、記憶している原本の特徴量を比較することにより、比較対象が原本か否かの真偽判定を行う紙識別方法の提案がなされている（例えば、特許文献１参照。）。
【０００５】
ところで、紙などのシート体に所定の情報を担持させ、この情報を読み取ることにより、読み取った情報に基づいて処理を行うことにより、物品などに対する的確な処理や、処理の自動化、迅速化などを図ることができる。
【０００６】
ここから、バーコードなどのコードを記録したラベルを用いて、このラベルに記録されているコードを読み取ることにより、読み取ったコードに基づいた処理を行うよう提案がある（例えば、特許文献２参照。）。
【０００７】
また、ＩＣチップやＲＦＩＤタグを用い、該ＩＣチップやＲＦＩＤタグに記録されている情報を読み出して、各種の処理を行ったり、また、処理結果などに基づいた情報を書き込むことにより、次の工程での適正な処理が可能となるようにした提案がなされている（例えば、特許文献３、特許文献４、特許文献５参照。）。
【０００８】
このように、ＩＣチップやＲＦＩＤを用いることにより、情報の保持のみでなく書込みも可能となるので、記録した情報に基づいた処理の多様化を図ることができる。
【特許文献１】特開２００４−１０２５６２号公報
【特許文献２】特開平５−７３５７２号公報
【特許文献３】特開２００１−２２９１１９号公報
【特許文献４】特開２００２−３６２７３０号公報
【特許文献５】特開２００２−３３４２７０号公報
【発明の開示】
【発明が解決しようとする課題】
【０００９】
しかしながら、ＩＣチップやＲＦＩＤを用いた場合、多量の情報を担持させることが可能であるが、担持させている情報が消失してしまったり、書き換えられてしまう可能性が生じるという問題がある。
【００１０】
また、近年、磁性材料を通常の紙に漉き込む方法が実現されたが、その磁性材料を用いて遠隔読み取り可能な多ビット情報を構成できるまでには至っていない。さらに、磁性体材料を用いて、近接で読取り可能な多ビット情報を構成するためには、紙上の所望の位置に正確に漉かなければならないが、現状の抄紙機では、実質的に困難となっている。
【００１１】
本発明は上記事実に鑑みてなされたものであり、担持する情報が消失したり書き換わってしまうことがなく、的確な読取りが可能となると共に、多ビットの情報の担持も可能な情報保持方法を提案することを目的とする。
【課題を解決するための手段】
【００１２】
上記目的を達成するために本発明は、シート体の表面を、予め設定している位置で等分割することにより連続する複数のブロックを設定し、前記ブロックごとの情報の有無によって、前記シート体の全域で所定の情報となるように保持することを特徴とする。
【００１３】
また、本発明は、前記ブロック内での前記情報の有無が、交番磁界が与えられることによりパルス状の応答信号を発する磁性材料の有無であることを特徴とする。
【００１４】
この発明によれば、記録用紙などのシート体の表面を等分割して、各ブロックごとに情報の有無（例えば、無し「０」と有り「１」）を設定するときに、例えば、バルクハウゼン効果によって検知可能な磁性材料を用いる。
【００１５】
このような本発明は、前記シート体が所定の領域に、線状の前記磁性材料が漉き込まれている記録用紙を用いることができる。
【００１６】
また、本発明は、情報を有するブロックによって前記シート体上に形成される図形の形状が該シート体に担持される情報に応じた図形であることを特徴とする。
【００１７】
この発明によれば、シート体に担持するコードなどの情報は、情報有りのブロックによって形成する図形によって示す。これにより、ブロックごとの情報の有無から得られる図形によって、シート体が担持している情報を的確に把握することが可能となる。
【００１８】
また、本発明は、前記シート体の中心点を軸として回転したときに、前記図形が重なり合う図形を、同一の情報であるとしていることを特徴と、前記シート体が矩形形状に形成されているときに、一辺に沿った鏡面に対する鏡像を、同一の情報であるとしていることを特徴とする。
【００１９】
この発明によれば、シート体を回転したときや反転したときに、同一の図形となるブロックの組み合わせを、同一の情報としている。これにより、シート体から情報を読取るときに、シート体の向きにかかわらず、的確に読取ることができる。
【発明の効果】
【００２０】
以上説明したように本発明によれば、簡単構成で的確に読取ることができる情報をシート体に担持させることができる。また、本発明では、シート体から情報を読取るときに、シート体の向きにかかわらず、的確に読取ることができるという優れた効果が得られる。
【発明を実施するための最良の形態】
【００２１】
以下に図面を参照しながら、本発明の実施の形態を説明する。図１には、本実施の形態に係る、情報読取り装置１０の概略構成を示している。本実施の形態では、シート体の一例として、画像や文字などを記録することにより文書やラベルなどを作成可能な記録用紙（図２参照、以下、用紙１２とする）を用いており、情報読取り装置１０は、用紙１２が担持している情報を読み取る。
【００２２】
なお、本実施の形態では、シート体として記録用紙を用いて説明するが、本発明は、これに限らず、樹脂プレート、アルミ箔、アルミ板など、磁化されていない任意の材質の部材をシート状に形成したシート体に適用することができる。
【００２３】
ここで、先ず、本実施の形態における用紙１２への情報の担持を説明する。図２には、用紙１２の概略構成を示している。この用紙１２は、一般的手法で所定の厚さで漉かれて生成されている。
【００２４】
また、この用紙１２は、縦横に等分割された、複数のブロック１４が設定されている。なお、図２では、一例として長方形状に形成され、縦に３分割、横に２分割で６ブロック１４ａ〜１４ｆ（総称するときは、ブロック１４とする）に設定されている。
【００２５】
また、この用紙１２では、予め設定したブロック１４に、磁性材料によって形成した微小径でランダムな長さの線材（以下、磁性線材１６とする）がランダムに漉き込まれている。この磁性材料１６としては、線径が３０μｍ以上（半径が１５μｍ以上）であることが好ましく、例えば、用紙１２の厚さが８０μｍ程度であるときには、４０μｍ程度とすることにより、磁性線材１６が用紙１２の表面に凸部を生じさせてしまうことがなく、磁性線材１６が目立たなくなり、用紙１２内に磁性線材１６が漉き込まれているのを目視での判断が難しくなるために好ましい。
【００２６】
また、磁性線材１６の長さは、バルクハウゼン効果を用いて検出可能とするために、５ｍｍ以上、好ましくは、１５ｍｍ程度の任意の長さを適用することができる。
【００２７】
さらに、磁性線材１６としては、Co−Fe−Ni−Ｂ−Siからなるアモルファスシリコンなど、保持力が低い任意の磁性材料を用いて形成することができる。
【００２８】
用紙１２では、磁性線材１６を漉き込んでいるブロック１４の組み合わせによって情報が示されるようになっている。
【００２９】
図１に示すように、情報読取り装置１０は、読取り部１８と、情報処理部２０を含んで形成さている。ここで、情報処理部２０としては、パーソナルコンピュータやワークステーションなど、予め記憶しているプログラムに基づいた各種の処理が可能であれば、任意の構成の情報処理装置を適用することができる。
【００３０】
図３に示すように、読取り部１８は、読取りテーブル２２及び読取りテーブル２２を覆うカバー２４を備え、読取りテーブル２２上に載置した用紙１２をカバー２４によって覆うようになっている。また、カバー２４には、読取りテーブル２２側に、後述するアンテナユニットが内臓されるようになっている。
【００３１】
読取り部１８では、バルクハウゼン効果を利用して用紙１２のブロック１４のそれぞれに、磁性線材１６が漉き込まれているか否かを検知する。
【００３２】
すなわち、磁性線材１６は、保持力が比較的小さく、このためにヒシテリシスループが略矩形状となっており（図示省略）、急峻な磁化反転が生じるようになっている。読取り部１８では、このような磁性線材１６が漉き込まれている可能性のある用紙１２に、図４（Ａ）に示す如き交番磁界を与える。磁性線材１６は、交番磁界が与えられることにより、図４（Ｂ）に示すように、磁化反転ポイントＨＰで磁化反転を生じるとき、パルス状の応答信号（磁気ノイズ）を発生する。
【００３３】
読取り部１８では、用紙１２から発せられる応答信号の有無を、ブロック１４ごとに検知可能となっている。
【００３４】
図１に示すように、読取り部１８には、交番磁界の発生に用いる電源（例えば、交流電源）２６が設けられている。また、読取り部１８には、電源２６から供給される電力によって交番磁界を発生するアンテナとなる励磁コイル２８及び、磁性線材１６が発生する応答信号を検知する検知アンテナとなる検知コイル３０からなる複数のアンテナユニット３２が設けられている。
【００３５】
読取り部１８では、電源２６から交流電力を各励磁コイル２８へ供給することにより、励磁コイル２８のそれぞれで交番磁界を発生させるようになっている。また、検知コイル３０には、対応する励磁コイル２８によって発生される交番磁界に応じた電流が誘起される。このとき、アンテナユニット３２が対向する領域に磁性線材１６があり、この磁性線材１６がパルス状の応答信号を発すことにより、検知コイル３０に、この応答信号に応じた電流が誘起されるようになっている。
【００３６】
読取り部１８には、検知コイル３０のそれぞれに対応して、ハイパスフィルタ（ＨＰＦ）３４、積分器３６及びＡ／Ｄ変換器３８が設けられている。なお、ここでは、ＨＰＦ３４、積分器３６及びＡ／Ｄ変換器３８を個別に図示せずに、それぞれを一括して図示している。
【００３７】
検知コイル３０のそれぞれに誘起される電流は、ＨＰＦ３４に入力されるようになっており、ＨＰＦ３４は、入力されたそれぞれ電流から低周波数成分を除去している。電源２６の周波数は、磁性線材１６が発する応答信号の周波数よりも低くなっており、ＨＰＦ３４では、電源２６の周波数成分を除去して、応答信号成分のみを通過させるようにしている。
【００３８】
積分器３６のそれぞれでは、ＨＰＦ３４を通過した電流を積分処理し、Ａ／Ｄ変換器３８は、積分処理された電気信号をＡ／Ｄ変換する。これにより、検知コイル３０で検知した電流に、磁性線材１６から発せられる応答信号が含まれることにより、該応答信号の強度に応じた電圧が、デジタルデータとして出力される。
【００３９】
図５に示すように、読取り部１８の読取りテーブル２２には、用紙１２を所定位置に載置したときに、用紙１２の各ブロック１４に対向するようにアンテナユニット３２が配列されている。
【００４０】
これにより、読取りテーブル２２に用紙１２を配置したときに、用紙１２のブロック１４ごとに応答信号の有無に応じた信号が出力されるようになっている。すなわち、各アンテナユニット３２では、対向するか近接している磁性線材１６（図５では図示省略、図２参照）の数などに応じた応答信号を検知し、読取り部１８では、アンテナユニット３２が応答信号を検知したときに、検知した応答信号に応じたレベル（電圧レベル）の検知信号を出力する。
【００４１】
これにより、用紙１２の各ブロック１４に対して、磁性線材１６が漉き込まれているときに、該当ブロック１４に対するアンテナユニット３２から検知信号が出力される。
【００４２】
情報処理部２０では、この検知信号に基づいて、用紙１２に形成されている情報を判断する。
【００４３】
ところで、用紙１２を読取り部１８の読取りテーブル２２上に載せるときには、用紙１２の向きや、裏表を間違えることがある。ここから、用紙１２上に情報を担持させているブロック１４（磁性線材１６が漉き込まれているブロック１４）によって形成される図形が、用紙１２の中心を回転中心として１８０°回転させたときに一致する図形及び、互いの鏡像が一致する図形を除いた図形が形成される組み合わせを用いて、その組み合わせを、用紙１２が担持する情報又は担持する情報を示すコードとなるようにしている。
【００４４】
図６（Ａ）に示すように、縦又は横に２分割して２つのブロックａ、ｂを設定した用紙１２（ここでは、用紙１２Ａとする）を、回転したときには、図６（Ｂ）となる。また、用紙１２Ａの鏡像は図６（Ｃ）となり、回転した用紙１２Ａ（図６（Ｂ））の鏡像は、図６（Ｄ）となる。
【００４５】
このときに、用紙１２Ａの鏡像でのブロックａ、ｂの配置は、用紙１２Ａを反転（裏表を反転）させたときのブロックａ、ｂの配置と一致する。なお、反転させたとき（鏡像）でのブロックａ、ｂをブロック（ａ）、（ｂ）として図示している。
【００４６】
ここで、回転したとき及び、鏡像で図形が重なるのを除くと、図６（Ｅ）、図６（Ｆ）、図６（Ｇ）の３通りの図形が得られる。すなわち、ブロックａ、ｂを同一の情報をもつようにするか、異なる情報を持つようにする。なお、図６（Ｅ）〜図６（Ｇ）では、無地が情報なし（情報が「０」）とし、ハッチング領域が情報あり（情報が「１」）としている。
【００４７】
ここから、用紙１２Ａを二つのブロックａ、ｂに分割したときには、約１．５ビット分の情報を担持させることができ、また、図６（Ｅ）の組み合わせ（情報なし）を除いても、１ビット分の情報を担持させることができる。
【００４８】
図７（Ａ）、図７（Ｂ）、図７（Ｃ）及び図７（Ｄ）には、用紙１２（ここでは、用紙１２Ｂとする）を縦横に２分割して４つのブロックａ、ｂ、ｃ、ｄを設定した例を示している。このとき、図７（Ａ）に対して用紙１２Ｂを回転（１８０°回転）した状態を図７（Ｂ）、図７（Ａ）及び図７（Ｂ）の鏡像をそれぞれ図７（Ｃ）、図７（Ｄ）に示している。
【００４９】
ここで、用紙１２Ｂを回転したとき及び、鏡像で図形が重なるのを除くと、図７（Ｅ）に示すように、全面に情報なしと、図７（Ｆ）に示すように、全面に情報有りが有り、図７（Ｇ）に示すように、１ブロックだけ情報無しと、図７（Ｈ）に示すように、１ブロックだけ情報有りがある。また、図７（Ｉ）に示すように、回転させたときに重なるブロックａ、ｄの組と、ブロックｂ、ｃの組の一方に情報有りで他方に情報無しの図形がある。
【００５０】
さらに、ブロックａ〜ｄで、用紙１２Ｂの辺方向に沿って隣接する二つのブロックの間で、一方の組が情報有りで、他方の組が情報無しの図形がある。このときに、用紙１２が長尺矩形状（正方形でない）で長辺、短辺が明確で間違いがないと判断できれば、図７（Ｊ）及び図７（Ｋ）の組併せがある。
【００５１】
ここから、用紙１２Ｂを縦横に２分割ずつしたときには、７通りの組み合わせが得られ、図７（Ｅ）の組み合わせ（情報なし）を除いても、６通りの組み合わせが得られ、用紙１２Ｂでは、６種類又は７種類の情報を担持可能となる。
【００５２】
さらに、図８に示すように、用紙１２では、一例として横に３分割、縦に２分割して６ブロックを形成している。このときには、図８（Ａ）に示すように、ブロック１４ａ〜１４ｆをそれぞれブロックａ〜ｆとすると、回転したときのブロックａ〜ｆの配置は、図８（Ｂ）に示すようになる。また、図８（Ａ）、図８（Ｂ）の配置に対する鏡像上での配置は、図８（Ｃ）、図８（Ｄ）に示すようになる。
【００５３】
ここから、情報有り（例えば、ハッチング）又は情報無し（例えば、無地）によって形成される図形を仮想して、回転したとき及び、鏡像で図形が重なるのを除くと、図９（Ａ）〜図９（Ｖ）に示すように、２２通りの組み合わせが得られる。
【００５４】
これは、４分割した用紙１２Ｂ（図７参照）でのブロックａ〜ｄを、６分割したときの四隅のブロックａ、ｂ、ｅ、ｆに当て、２分割した用紙１２Ａ（図６参照）でのブロックａ、ｂを、６分割したブロックｃ、ｄに当てることより類推することが可能である。
【００５５】
したがって、用紙１２を６分割したときには、２２種類のコードを、この用紙１２に担持させることができる。このときに、ブロックａ〜ｆ（ブロック１４ａ〜１４ｆ）の全てで情報無しであると、情報を担持している用紙１２であるか否かの判別が困難となるので、この組み合わせ（図９（Ａ））を除いたとしても、２１種類のコードを用紙１２に担持させることができる。なお、図８では、図９（Ａ）と同じ情報（コード）を担持していることになる。なお、これまで述べたシート領域の分割やそれに応じたコードの付け方は、分割数が比較的少ないので、コンピュータなどを用いてサーチして発見し、割り当てることが可能である。
【００５６】
このようにして情報（例えば、コード）を担持されている用紙１２から、情報を読取りときには、用紙１２を情報読取り装置１０に装着する。このとき、情報読取り装置１０の読取り部１８では、用紙１２が、例えば、長辺を基準にして読取りテーブル２２上に配置されることにより、用紙１２の各ブロック１４に、アンテナユニット３２が対向する。
【００５７】
この状態で、各アンテナユニット３２の励磁コイル２８に電源２６から電力を供給することにより、用紙１２の各ブロック１４に交番磁界が付与される。
【００５８】
これにより、磁性線材１６が漉き込まれていないブロック１４では、磁性線材１６からの応答信号が受信されないが、磁性線材１６が漉き込まれているブロック１４では、磁性線材１６が交番磁界に対してパルス状の応答信号を発し、応答信号に応じた電流が、検知コイル３０に誘導される。
【００５９】
これにより、読取り部１８では、磁性線材１６が漉き込まれているブロック１４に対向するアンテナユニット３２から、漉き込まれている磁性線材１６に応じた電圧が出力される。
【００６０】
情報処理部２０では、この読取り部１８の出力信号から、用紙１２の各ブロック１４での磁性線材１６の有無、すなわち、磁性線材１６が漉き込まれているブロック１４を識別することができる。
【００６１】
これにより、磁性線材１６が漉き込まれているブロック１４によって形成される図形の形状から、用紙１２が担持している情報の判定が可能となっている。
【００６２】
ところで、用紙１２を読取りテーブル２２に載置するときに、例えば、長辺を基準としても、向きや裏表が不明瞭であると、向きを間違えたり、裏表を間違え載置されることがあり、これにより、例えば、用紙１２の一つのブロック１４でも、対向するアンテナユニット３２が異なってしまう。
【００６３】
すなわち、何れかの向きを正規と仮定しているときに、その正規の向きに対して、逆向き、反転させた向き、逆向きと反転させた向きの４通りの何れかの向きで用紙１２が読取りテーブル２２に載置されることになる。
【００６４】
このため、単に、各ブロック１４の情報の有無のみで、用紙１２に情報を担持させると、情報の読取りミスが生じてしまう。
【００６５】
ここから、情報有り（磁性線材１６有り）のブロック１４又は情報無し（磁性線材１６無し）のブロック１４によって用紙１２上に形成される図形で、用紙１２を回転させたとき、鏡像又は回転させた鏡像の何れかで一致する図形は、同じ情報に設定している。
【００６６】
これにより、用紙１２が担持している情報を読取るために、用紙１２を読取りテーブル２２に載置したときに、用紙１２の向きによって読取りミスが生じてしまうことがない。
【００６７】
したがって、用紙１２を複数のブロック１４に分割して、各ブロック１４で示すビット（１（有り）、０（無し））の組合せで、用紙１２に所定の情報を担持させたときに、用紙１２が担持している情報を的確に読取ることができる。
【００６８】
このようにして情報を担持させた用紙１２は、容器内の薬品の種類や、劇薬、薬物などを区別するためのラベルなど、化粧品などの各種の物品、商品などに添付するラベルなど、生産時期などを示すラベルなどとして用いることができる。すなわち、特に限られた内容物に限定して的確に識別する必要があるとき用いることができ、このときに、ラベルを読取る向きにかかわらず的確な情報の読取りが可能となる。
【００６９】
また、生産時期などを示すラベルや、保証期間、賞味期限などを示すラベルとして用いるときには、該当期間が比較的短いものであれば、必要な情報量（コードの種類）も少ないので適用可能で有り、また、期間の過ぎた情報は、新たに期間を示す情報に割り当てることにより、限られた数の情報であっても、恒久的な使用が可能となる。
【００７０】
一方、用紙１２を分割して設定したブロック１４の中から、所望のブロック１４に磁性線材１６を漉き込む方法として各種の方法を適用することができる。
【００７１】
ここで、図１０を参照しながら用紙１２への磁性線材１６の漉き込みの一例を説明する。なお、以下では一例として、長網や短網などの抄き網を用いて湿紙４０を形成し、その上に磁性線材を塗布し、更に、この湿紙４０にウエットパルプ（図示省略）などを重ねて貼り付けることにより、１枚の用紙１２が形成されるものとしている。
【００７２】
図１０には、磁性材料１６を任意の領域に漉き込んだ用紙１２の形成に用いる漉き込み装置４２の要部の概略構成を示している。この漉き込み装置４２は、搬送ローラ４４を備え、この搬送ローラ４４によって情報担持対象とする用紙１２の形成に用いる湿紙４０を、所定の向きで、一定速度で搬送する（図１０で搬送方向を矢印で示す）。
【００７３】
なお、ここでは、一例とし、湿紙４０を長手方向に沿って搬送するようにし、湿紙４０を用いて形成する用紙１２上では、搬送方向に沿った分割数を３、幅方向に沿った分割数を２としてブロック１４を設定している。また、搬送ローラ４４に限らず、ベルト等の任意の搬送手段を適用することができる。
【００７４】
この漉き込み装置４２には、用紙１２の幅方向（搬送方向と直交する方向）の分割数に応じた数の吐出口４６が設けられている。それぞれの吐出口４６は、例えば、用紙１２上の各ブロック１４に対応する湿紙４０の領域４８の、搬送幅方向に沿った中間部に対向されている。
【００７５】
吐出口４６のそれぞれには、送液パイプ５０を介して、所定長さ以上の磁性線材１６が混合された水（以下、塗布液５２とする）が供給されるようになっている。また、吐出口４６のそれぞれに対応する送液パイプ５０には、例えば、電磁弁等を用いたバルブ５４が設けられている。
【００７６】
漉き込み装置４２は、搬送ローラ４４による湿紙４０の搬送及び、バルブ５４の開閉を制御すコントローラ５６を備えている。コントローラ５６は、湿紙４０の搬送に同期したタイミングで、バルブ５４を個別に開閉することにより、湿紙４０上の任意の領域４８に、塗布液５２を噴出可能となっている。
【００７７】
このように構成された漉き込み装置４２において、用紙１２ごとに磁性線材１６を漉き込むブロック１４を特定したデータを、コントローラ５６に入力する。これにより、コントローラ５６は、湿紙４０を搬送すると共に、この湿紙４０の搬送に同期させながら、入力されたデータに基づいてバルブ５４を開閉する。
【００７８】
これにより、データに基づいたブロック１４に対応する湿紙４０上の領域４８に、磁性線材１６が混合された塗布液５２が塗布される。
【００７９】
この湿紙４０にウエットパルプを重ねることにより、磁性線材１６が固定される。これにより、所定のブロック１４に磁性線材１６が漉き込まれた用紙１２が得られる。
【００８０】
一方、ここでは、ブロック１４ごとに磁性線材１６を漉き込む方法を用いたが、用紙１２のブロック１４に磁性線材１６を埋め込んで情報を担持させる方法は、これに限るものではない。例えば、用紙１２上の全てのブロック１４に磁性線材１６を埋め込み、この用紙１２上のブロック１４ごとに、磁性線材１６が検出されるか（情報あり）、実質的に磁性線材１６が検出されないか（情報なし）で、用紙１２に情報を担持させるようにしても良い。
【００８１】
すなわち、各ブロック１４に磁性線材１６を漉き込むと共に、磁性線材１６が検出されないブロック１４を形成することにより、情報が保持されたブロック１４と情報が失われたブロック１４が生じるようにして、用紙１２に所定の情報を担持させるようにしても良い。
【００８２】
ここで、図１１（Ａ）乃至図１１（Ｃ）を参照しながらその一例を説明する。このときには、先ず、図１１（Ａ）に示されるように、長尺の磁性線材１６（以下、磁性線材１６Ａとする）を縦方向又は幅方向に沿って漉き込むようにして、縦方向又は横方向に沿って沿ったブロック１４に跨るように磁性線材１６Ａを設けた用紙１２（以下、用紙１２Ｃとする）を形成する。なお、ここでは、一例として、用紙１２Ａを縦横に２分割ずつして、４つのブロック１４を設定し、用紙１２Ｃの長手方向に沿って２本の磁性線材１６Ａを漉き込んでいる。
【００８３】
図１１（Ｂ）には、この用紙１２Ｃへの情報担持に用いる情報担持手段の一例とするバインダ６０を示している。このバインダ６０は、用紙１２Ｃより大きいサイズの基板６２と可動板６４が対で設けられている。
【００８４】
基板６２と可動板６４は、幅方向の一辺が図示しないヒンジによって連結され、可動板６４が、基板６２から開放された位置と、基板６２と重ね合わせられる位置との間で回動可能となっている。これにより、バインダ６０は、基板６２と可動板６４との間で用紙１２Ｃを挟み込むことができるようになっている。
【００８５】
バインダ６０には、用紙１２Ｃが、基板６２上の所定位置に位置決めされて載置されるようになっている。また、可動板６４には、基板６２に対向する面に、突起部材６６が装着可能となっている。
【００８６】
この突起部材６６は、一つのブロック１４の磁性線材１６Ａの長手方向に沿った長さと略同じとなっており、また、突起部材６６には、長手方向に沿って多数の突起６８が所定間隔で形成されている。
【００８７】
この突起部材６６に形成される突起６８の間隔は、例えば、５ｍｍ以下となっており、これにより、突起部材６６を一つのブロック１４内の磁性線材１６Ａに対向した状態で、突起６８を用紙１２Ａに押し付けることにより、該当ブロック１４内の磁性線材１６Ａを、５ｍｍ以下の長さに分割可能となっている。
【００８８】
なお、突起６８は、例えば、用紙１２Ａに押し付けられることにより、先端が用紙１２Ｃ内に僅かに入り込むなどして、用紙１２Ｃを損傷させること無く、用紙１２Ｃ内の磁性線材１６Ａを切断するなどして分割するようになっている。
【００８９】
前記したように、バルクハウゼン効果を用いて磁性線材（磁性線材１６）を検出するときには、磁性線材の長さを、直径に対して１００倍以上（ここでは、約５mm以上）とする必要があり、磁性線材の長さを、直径に対して１００倍以下とすると、反磁界効果が大きくなってバルクハウゼン効果を用いた検出が困難となる。
【００９０】
ここから、バインダ６０では、突起部材６６を用いて磁性線材１６Ａを分割することにより、分割した磁性線材１６Ａ（以下、磁性線材１６Ｂとする）の長さをその直径の１００倍以下とすることにより、バルクハウゼン効果を用いて検出することが困難な磁性線材１６Ｂとなるようにしている。
【００９１】
このバインダ６０を用いて用紙１２Ｃに所望の情報を担持させるときには、用紙１２Ｃを基板６２上の所定位置に載置すると共に、可動板６４に、情報なしに設定するブロック１４内の磁性線材１６Ａに対向する位置に突起部材６６を装着する。この状態で基板６２と可動板６４を重ね合わせて用紙１２Ｃを挟み込む。
【００９２】
これにより、図１１（Ｃ）に示されるように、突起部材６６が対向する磁性線材１６Ａを微小サイズの磁性線材１６Ｂに分割する。
【００９３】
したがって、突起部材６６が対向された用紙１２Ｃ上のブロック１４は、情報なしに設定され、また、突起部材６６が対向されていないブロック１４は、バルクハウゼン効果によって検出可能な磁性線材１６が形成され、用紙１２Ｃに、所定の情報が担持される。
【００９４】
なお、ここでは、予め定まった位置に磁性線材１６Ａを配置して、情報ありとするブロック１４に磁性線材１６が形成され、情報なしとするブロック１４に磁性線材１６Ｂが形成されるようにしたが、これに限らず、所定長さ以上（バルクハウゼン効果が生じる長さ）の磁性線材１６がランダムに漉き込まれた用紙１２に対して適用することができる。このときには、用紙１２の一つのブロック１４の全域に対向する版材を用い、この版材の全面に、例えば磁性線材１６を微小サイズに分割する突起などを形成する。このときに、互いに隣接する突起の間隔を、所定以下（例えば、５mm以下）とする。
【００９５】
この版材を用紙１２のブロック１４に押し付け、該当ブロック１４内に漉き込まれている磁性線材１６のそれぞれを、所定長さ以下の微小サイズに分割することにより、そのブロック１４を情報なしとして設定することができる。
【００９６】
また、ブロック１４に漉き込んでいる磁性線材１６のバルクハウゼン効果を抑える方法としては、用紙１２上の該当ブロック１４（情報なしとするブロック１４）を、磁性体で覆う方法がある。
【００９７】
用紙１２としての機能を失わせずに、選択的に磁性体で覆う方法としては、例えば、鉄片を含んだシールを作成し、情報を失わせるブロック１４にこのシールを貼り付ける方法がある。このときのシールには、鉄片に換えて鉄粉などの磁性体の粉材を万遍無く含ませても良い。
【００９８】
また、電磁波吸収体を用いて、バルクハウゼン効果を抑え、情報なしとするブロック１４を形成するようにしても良い。一般に、電磁波吸収体は、磁力を受けることによりノイズを発生する。これにより、用紙１２に漉き込まれている磁性線材１６が、バルクハウゼン効果を起こしても、応答信号がノイズに埋もれてしまい、実質的な応答信号の検出が困難となることから、該当ブロック１４を情報なしとみなされるようにすることができる。
【００９９】
さらに、用紙１２に漉き込んでいる磁性線材１６よりも保磁力の高い磁性材料を用いる方法も可能である。このときには、保磁力の高い磁性材料をシール形態に加工するか、その磁性材料をシールに含ませて、用紙１２に貼り付けるなどすれば良い。
【０１００】
これにより、用紙１２の磁性線材１６にバルクハウゼン効果を生じさせる磁界を与えたとき、保磁力の高い磁性材料が磁化され、そのまま磁力を保持して、残留磁界が生じる。このために、磁界を与えたときに、バルクハウゼン効果が生じにくくなり、該当ブロック１４に漉き込まれている磁性線材１６の検出が困難となり、実質的に情報なしとすることができる。
【０１０１】
なお、これらの方法を適用してバルクハウゼン効果を抑えるときには、選択したブロック１４にシートなどを貼付する方法に限らず、用紙１２と同じサイズで、情報なしとするブロック１４に対応する領域に、バルクハウゼン効果を抑える鉄片、鉄粉、電磁波吸収体、保磁力の高い磁性材料を担持させたフィルム状のシールを作成して、用紙１２に貼り付けるようにしても良く、また、そのシートによって用紙１２をラミネートするなどの任意の方法を適用することができる。
【０１０２】
なお、以上説明した本実施の形態では、用紙１２を２分割、４分割及び６分割した時の例を説明したが、用紙１２の分割数は、これに限るものではなく、縦に４分割以上、横に３分割以上したブロックごとに、磁性線材１６を漉き込んで所定の情報を担持させるものであっても良い。このときには、分割した各ブロックに対向する位置に検知コイル３０又はアンテナユニット３２を配置している読取り手段を用いればよい。
【０１０３】
また、本実施の形態では、用紙１２を縦方向ないし横方向に等分割したブロック１４を設定したが、用紙１２の分割方法はこれに限るものではなく、例えば、図１２に示すように、用紙１２の中心点Ｐに対して、回転方向へ所定の角度で分割したブロック１４Ａを適用することも可能である。
【０１０４】
このような分割方法を適用するときには、回転位置、鏡像位置のそれぞれで、各ブロック１４Ａでの情報の有無を検知可能とするように読取り手段を構成すれば良い。
【０１０５】
さらに、本実施の形態では、磁性線材１６を漉きこむシート体として用紙１２（記録用紙）を例に説明したが、本発明はこれに限らず、布などの繊維、樹脂などをシート状に形成した樹脂プレート、アルミ箔などの金属箔、アルミニウムなどによってシート状に形成した金属プレートなどの磁化されないか又は磁化されにくい任意の材質でシート状に形成したものであれば良い。
【０１０６】
また、本実施の形態では、分割した各ブロック１４ごとに情報を設定する方法として、バルクハウゼン効果によって有無の検知が可能な磁性線材１６を用いたが、各ブロック１４に情報の有無を設定する方法はこれに限るものではなく、例えば、ブラックライトに反応して発光する透明蛍光塗料でも可能であり、また、情報の有無を設定する方法に合わせた検知方法を適用すればよい。さらに、磁性体を利用する場合には、該当する紙を遠隔で検知することが可能であり、よって、その上に書かれている文書の漏洩防止にも適用可能である。
【図面の簡単な説明】
【０１０７】
【図１】本実施の形態に適用した情報読取り装置の概略構成図である。
【図２】用紙への情報の埋め込みの一例を示す概略図である。
【図３】読取りテーブルの一例を示す要部の概略構成図である。
【図４】（Ａ）は交番磁界の概略を示す線図、（Ｂ）は交番磁界に対する応答信号の概略を示す線図である。
【図５】読取りテーブル上への用紙の装填とアンテナユニットの配置を示す概略図である。
【図６】（Ａ）から（Ｄ）は２分割したブロックを読取りテーブルに配置したときに取り得る形態を示す概略図、（Ｅ）〜（Ｇ）は情報を担持させるときの組み合わせを示す概略図である。
【図７】（Ａ）から（Ｄ）は４分割したブロックを読取りテーブルに配置したときに取り得る形態を示す概略図、（Ｅ）〜（Ｋ）は情報を担持させるときの組み合わせを示す概略図である。
【図８】（Ａ）から（Ｄ）は６分割したブロックを読取りテーブルに配置したときに取り得る形態を示す概略図である。
【図９】（Ａ）〜（Ｖ）は６分割した用紙に情報を担持させるときの組み合わせを示す概略図である。
【図１０】用紙への磁性線材の漉き込みに適用する漉き込み装置の一例を示す要部の概略構成図である。
【図１１】（Ａ）から（Ｃ）は用紙に情報を担持させる一例を示す概略図であり、（Ａ）は情報担持対象の用紙を示し、（Ｂ）は（Ａ）の用紙への情報担持に用いる情報担持手段とするバインダを示し、（Ｃ）は情報が担持された用紙を示している。
【図１２】用紙の分割方法の他の一例を示す概略図である。
【符号の説明】
【０１０８】
１０    情報読取り装置
１２（１２Ａ、１２Ｂ、１２Ｃ）    用紙（シート体）
１４（１４ａ〜１４ｆ）、ａ〜ｆ    ブロック
１６    磁性線材（磁性材料）
１８    読取り部
２０    情報処理部
２２    読取りテーブル
２８    励磁コイル
３０    検知コイル
３２    アンテナユニット
４２    漉き込み装置
５６    コントローラ
６０    バインダ
６６    突起部材
【図１】
2006293988.tif 000003
【図２】
2006293988.tif 000004
【図３】
2006293988.tif 000005
【図４】
2006293988.tif 000006
【図５】
2006293988.tif 000007
【図６】
2006293988.tif 000008
【図７】
2006293988.tif 000009
【図８】
2006293988.tif 000010
【図９】
2006293988.tif 000011
【図１０】
2006293988.tif 000012
【図１１】
2006293988.tif 000013
【図１２】
2006293988.tif 000014